(57)【要約】【課題】バッグ本体をゴルフカートの後部に傾斜状態で配設し、有底筒状のバッグ本体の内部を仕切る仕切体に着脱自在に取り付けられたゴルフクラブ保持具の保持部によりバッグ本体内に差し込まれたゴルフクラブのシャフトの左右移動を防ぐことができ、各ゴルフクラブのシャフトの接触を防いでゴルフクラブの出し入れを容易に行うことができると共に各ゴルフクラブの左右を防いで相互衝突によるゴルフクラブの損傷を防ぐことができる。【解決手段】有底筒状のバッグ本体１の内部を仕切る仕切体２に着脱自在な保持部材３を形成し、保持部材にバッグ本体内に差し込まれたゴルフクラブＷのシャフトの左右移動を防ぐ保持部４を設けてなる。【選択図】図１
2007236634.tif 000002
【特許請求の範囲】
【請求項１】
有底筒状のバッグ本体の内部を仕切る仕切体に着脱自在な保持部材を形成し、該保持部材にバッグ本体内に差し込まれたゴルフクラブのシャフトの左右移動を防ぐ保持部を設けてなることを特徴とするゴルフクラブ保持具。
【請求項２】
上記保持部は上記バッグ本体内に差し込まれた各ゴルフクラブのシャフトを一個ずつ保持可能な保持間隔を置いて突設された複数個の保持凸部からなることを特徴とする請求項１記載のゴルフクラブ保持具。
【請求項３】
上記保持部材及び保持部は緩衝材からなることを特徴とする請求項１又は２記載のゴルフクラブ保持具。
【請求項４】
上記請求項１〜３のいずれか１項に記載のゴルフクラブ保持具を備えてなるゴルフバッグ。
【発明の詳細な説明】
【技術分野】
【０００１】
本発明は、ゴルフクラブの出し入れを容易にすると共に損傷を防止するためのゴルフクラブ保持具及びゴルフバッグに関するものである。
【背景技術】
【０００２】
従来、この種のゴルフバッグとして、有底筒状のバッグ本体の内部に棒状や板状の仕切体を二個並列状に、或いは、十字状に設けてなる構造のものが知られている。
【特許文献１】特開平１１−１５５９８８号公報
【発明の開示】
【発明が解決しようとする課題】
【０００３】
しかしながら上記従来構造の場合、上記仕切体により仕切られた各仕切部内には複数本のゴルフクラブが収容される構造であるから、各ゴルフクラブのシャフトが接触することによりゴルフクラブの出し入れが困難となったり、例えば、運搬時やゴルフカート搭載時においては各ゴルフクラブが左右に移動し、相互に衝突してゴルフクラブを損傷することがあるという不都合を有している。
【課題を解決するための手段】
【０００４】
本発明はこれらの不都合を解決することを目的とするもので、本発明のうちで、請求項１記載の発明は、有底筒状のバッグ本体の内部を仕切る仕切体に着脱自在な保持部材を形成し、該保持部材にバッグ本体内に差し込まれたゴルフクラブのシャフトの左右移動を防ぐ保持部を設けてなることを特徴とするゴルフクラブ保持具にある。
【０００５】
又、請求項２記載の発明は、上記保持部は上記バッグ本体内に差し込まれた各ゴルフクラブのシャフトを一個ずつ保持可能な保持間隔を置いて突設された複数個の保持凸部からなることを特徴とするものであり、又、請求項３記載の発明は、上記保持部材及び保持部は緩衝材からなることを特徴とするものである。
【０００６】
又、請求項４記載の発明は、上記請求項１〜３のいずれか１項に記載のゴルフクラブ保持具を備えてなるゴルフバッグにある。
【発明の効果】
【０００７】
本発明は上述の如く、請求項１又は４記載の発明にあっては、例えば、バッグ本体をゴルフカートの後部に傾斜状態で配設し、有底筒状のバッグ本体の内部を仕切る仕切体に着脱自在に取り付けられたゴルフクラブ保持具の保持部によりバッグ本体内に差し込まれたゴルフクラブのシャフトの左右移動を防ぐことができ、各ゴルフクラブのシャフトの接触を防いでゴルフクラブの出し入れを容易に行うことができると共に各ゴルフクラブの左右を防いで相互衝突によるゴルフクラブの損傷を防ぐことができ、更に、仕切体からゴルフクラブ保持具を取り外すこともでき、使用の融通性を高めることができる。
【０００８】
又、請求項２記載の発明にあっては、上記保持部は上記バッグ本体内に差し込まれた各ゴルフクラブのシャフトを一個ずつ保持可能な保持間隔を置いて突設された複数個の保持凸部からなるので、ゴルフクラブの出し入れを一層容易に行うことができ、又、請求項３記載の発明にあっては、上記保持部材及び保持部は緩衝材からなるので、ゴルフクラブの損傷を一層防ぐことができる。
【発明を実施するための最良の形態】
【０００９】
図１乃至図５は本発明の実施の形態例を示し、１はバッグ本体であって、有底筒状にして、皮革、合成樹脂、織物等により製作され、このバッグ本体１の内部に内部を仕切る仕切体２が、この場合、二個並列状に設けられ、内部を上下三個の区画室Ｒ・Ｒ・Ｒを形成した構造となっている。尚、バッグ本体１の内部に内部を仕切る仕切体２が十字状に設けられ、内部を四個の区画室を形成した構造となっていることもある。
【００１０】
３は保持部材であって、この場合、適宜長さに切断可能なスポンジやゴム、柔軟性を有する合成樹脂等の緩衝材により製作され、上記仕切体２の開口縁部に嵌脱可能な断面Ｕ状の嵌脱部３ａを有する棒状体に形成され、この保持部材３にバッグ本体１内に差し込まれた各ゴルフクラブＷのシャフトＷ1の左右移動を防ぐための保持部４を設けて、上記仕切体２に着脱自在なゴルフクラブ保持具Ｍを形成している。
【００１１】
この場合、上記保持部４は上記バッグ本体１内に差し込まれた各ゴルフクラブＷのシャフトＷ1を一個ずつ保持可能な保持間隔Ｂを置いて突設された複数個の保持凸部４ａ・・・からなっている。
【００１２】
この実施の形態例は上記構成であるから、例えば、バッグ本体１をゴルフカートＫの後部に傾斜状態で配設し、有底筒状のバッグ本体１の内部を仕切る仕切体２に着脱自在に取り付けられたゴルフクラブ保持具Ｍの保持部４によりバッグ本体１内に差し込まれたゴルフクラブＷのシャフトＷ1の左右移動を防ぐことができ、各ゴルフクラブＷのシャフトＷ1の接触を防いでゴルフクラブＷの出し入れを容易に行うことができると共に各ゴルフクラブＷの左右を防いで相互衝突によるゴルフクラブＷの損傷を防ぐことができ、更に、仕切体２からゴルフクラブ保持具Ｍを取り外すこともでき、使用の融通性を高めることができる。
【００１３】
又、この場合、上記保持部４は上記バッグ本体１内に差し込まれた各ゴルフクラブＷのシャフトＷ1を一個ずつ保持可能な保持間隔Ｂを置いて突設された複数個の保持凸部４ａ・・・からなるので、ゴルフクラブＷの出し入れを一層容易に行うことができ、又、この場合、上記保持部材４及び保持部４は緩衝材からなるので、ゴルフクラブＷの損傷を一層防ぐことができ、かつ、所定長さのゴルフクラブ保持具Ｍを製作し、仕切板２の形態や長さに応じた適宜長さに切断して使用することもでき、製作コストの低減及び使用の融通性を高めることができる。
【００１４】
尚、本発明は上記実施の形態例に限られるものではなく、例えば、保持部材３の形態や仕切体２に対する着脱構造、保持部４の形態や個数等は仕切体２の形態等により適宜変更されるものである。
【００１５】
以上、所期の目的を充分達成することができる。
【図面の簡単な説明】
【００１６】
【図１】本発明の実施の形態例の全体斜視図である。
【図２】本発明の実施の形態例の使用状態の部分拡大断面図である。
【図３】本発明の実施の形態例の使用状態の平断面図である。
【図４】本発明の実施の形態例の部分断面図である。
【図５】本発明の実施の形態例の使用状態図である。
【符号の説明】
【００１７】
Ｗ    ゴルフクラブ
Ｗ1    シャフト
Ｍ    ゴルフクラブ保持具
Ｂ    保持間隔
１    バッグ本体
２    仕切体
３    保持部材
４    保持具
４ａ    保持凸部
【図１】
2007236634.tif 000003
【図２】
2007236634.tif 000004
【図３】
2007236634.tif 000005
【図４】
2007236634.tif 000006
【図５】
2007236634.tif 000007